(57)【特許請求の範囲】
【請求項１】
弾性を備えたベースクッション材と、
前記ベースクッション材上に積層され、２枚の布の間にヒータ線が配設されたヒータユニットと、
前記ヒータユニット上に積層された弾性を備えたサブクッション材と、
前記ベースクッション材と前記ヒータユニットと前記サブクッション材の積層体を収容するカバーと、を含み、
前記ベースクッション材と前記サブクッション材は、樹脂繊維を三次元的にランダムに屈曲させた三次元立体網状体で形成され、前記三次元立体網状体の内部には三次元のランダム方向に連通する空洞部を備え、
前記ベースクッション材の圧縮率は、前記サブクッション材の圧縮率より小さくし、
前記ベースクッション材と前記サブクッション材の少なくとも外周端面の前記空洞部の開口を閉塞する閉塞部材を設け、
前記閉塞部材は、前記ベースクッション材と前記サブクッション材の少なくとも外周端面に対向する前記カバーに設置されたことを特徴とする、
暖房マット。
【請求項２】
前記ベースクッション材の厚さは、前記サブクッション材の厚さより厚いことを特徴とする、
請求項１に記載の暖房マット。
【発明の詳細な説明】
【技術分野】
【０００１】
本発明は暖房機能を備えた寝具用のマットの構成に関するものである。
【背景技術】
【０００２】
従来、この種の暖房マットは、表地の下面に六角ハニカム形状が平面方向に連続的に配設された立体構造のクッション材を備えた上層部と、ヒータ線を配設したヒータ毛布を備えた中間層部と、上層部と同様なクッション材の下面に裏地を備えた下層部とを備え、上面層部と中間層部と下層部とを着座自在に積層して構成されている（例えば、特許文献１参照）。
【０００３】
図１１は、特許文献１に記載された従来の暖房マットの構成を示す断面図を示すものであり、図１２は暖房マットのクッション材の詳細な構成を示す斜視図である。図１１に示すように、暖房マットは表地１と立体構造体のクッション材からなる上層部と、ヒータ毛布からなる中間層部４と、クッション材２と裏地材５からなる下層部６を積層して構成されている。
【０００４】
また、図１２に示すように、クッション材２は繊維を六角ハニカム形状に立体的に編織されたものであり、六角ハニカム形状により主に上下方向に空洞が形成されている。
【先行技術文献】
【特許文献】
【０００５】
【特許文献１】特許第２９２９２６３号公報
【発明の概要】
【発明が解決しようとする課題】
【０００６】
しかしながら、前記従来の構成では、クッション材の空洞が主に上下方向に配置されており、空気の流通経路である空洞に上下方向の方向性があるため、中間層のヒータ線から発熱した熱は、主に上下方向に伝達される傾向があり、水平方向に拡散しにくい構成であります。そのため、ヒータ線の近傍とそれ以外の部分とで温度ムラが発生する可能性が高く、快適性という観点からは未だ改善の余地があった。
【０００７】
本発明は、上記従来技術の有する課題に鑑みてなされたものであり、クッション材の内部で全ての方向に略均等に熱伝達させることにより、温度ムラを抑制し快適な暖房マットを提供することを目的とする。
【課題を解決するための手段】
【０００８】
上記従来の課題を解決するために、本発明の暖房マットは、弾性を備えたベースクッション材と、ベースクッション材上に積層され、２枚の布の間にヒータ線が配設されたヒータユニットと、ヒータユニット上に積層された弾性を備えたサブクッション材と、ベースクッション材とヒータユニットとサブクッション材の積層体を収容するカバーと、を含み
、ベースクッション材とサブクッション材は、樹脂繊維を三次元的にランダムに屈曲させた三次元立体網状体で形成され、三次元立体網状体の内部には三次元のランダム方向に連通する空洞部を備え、ベースクッション材の圧縮率は、サブクッション材の圧縮率より小さくし、ベースクッション材とサブクッション材の少なくとも外周端面の空洞部の開口を閉塞する閉塞部材を設け、閉塞部材は、ベースクッション材とサブクッション材の少なくとも外周端面に対向するカバーに設置されたことを特徴とするものである。
【０００９】
これにより、広い範囲の衝撃を吸収することができ、快適なクッション性を得ることができる。また、ヒータユニットの熱がベースクッション材の空気断熱効果により下方に伝
達されることが抑制され省エネルギー性を向上することができるとともに、ヒータ線で発熱した熱が、ベースクッション材とサブクッション材の内部で三次元のランダム方向の広い範囲に拡散することにより、均熱化を図ることができ、快適性を向上することができる。
【発明の効果】
【００１０】
本発明の暖房マットは、クッション性と省エネルギー性と均熱性を向上することができる。
【図面の簡単な説明】
【００１１】
【図１】本発明の実施の形態１における暖房マットをベッド上に載置した斜視図
【図２】本発明の実施の形態１における暖房マットの本体の分解斜視図
【図３】本発明の実施の形態１における暖房マットの本体の断面図
【図４】本発明の実施の形態１におけるヒータユニットの外観斜視図
【図５】本発明の実施の形態１におけるヒータ線の模式図
【図６】本発明の実施の形態１におけるクッション材の構成を示す模式図
【図７】本発明の実施の形態１における暖房マットの使用状態を示す模式図
【図８】本発明の実施の形態２における暖房マットの本体の分解斜視図
【図９】本発明の実施の形態２における暖房マットの本体の断面図
【図１０】本発明の実施の形態２における暖房マットの使用状態を示す模式図
【図１１】従来の暖房マットの構成を示す断面図
【図１２】従来の暖房マットのクッション材の構成を示す斜視図
【発明を実施するための形態】
【００１２】
第１の発明は、弾性を備えたベースクッション材と、前記ベースクッション材上に積層され、２枚の布の間にヒータ線が配設されたヒータユニットと、前記ヒータユニット上に積層された弾性を備えたサブクッション材と、前記ベースクッション材と前記ヒータユニットと前記サブクッション材の積層体を収容するカバーと、を含み、前記ベースクッション材と前記サブクッション材は、樹脂繊維を三次元的にランダムに屈曲させた三次元立体網状体で形成され、前記三次元立体網状体の内部には三次元のランダム方向に連通する空洞部を備え、前記ベースクッション材の圧縮率は、前記サブクッション材の圧縮率より小さくし、前記ベースクッション材と前記サブクッション材の少なくとも外周端面の前記空洞部の開口を閉塞する閉塞部材を設け、前記閉塞部材は、前記ベースクッション材と前記サブクッション材の少なくとも外周端面に対向する前記カバーに設置されたことを特徴とする暖房マットである。
【００１３】
これにより、広い範囲の衝撃を吸収することができ、快適なクッション性を得ることができる。また、ヒータユニットの熱がベースクッション材の空気断熱効果により下方に伝達されることが抑制され省エネルギー性を向上することができるとともに、ヒータ線で発熱した熱が、ベースクッション材とサブクッション材の内部で三次元のランダム方向の広い範囲に拡散することにより、均熱化を図ることができ、快適性を向上することができる。
また、ベースクッション材およびサブクッション材の外周端面より昇温された空気が放出されることを確実に抑制することができ、省エネルギー性を確実に向上することができる。
【００１４】
第２の発明は、特に、第１の発明において、前記ベースクッション材の厚さは、前記サブクッション材の厚さより厚いことを特徴とするものである。
【００１５】
これにより、ヒータユニットで発熱した熱は、下方には断熱され、上方に伝達されやすく、快適な暖房効果と省エネルギー性を兼ね備えた暖房マットを提供することができる。
【００１８】
（実施の形態１）
＜１＞暖房マットの構成
図１は本実施の形態における暖房マットをベッド上に設置した使用形態を示す斜視図であり、図２は本体の構成を示す分解斜視図であり、図３は本体の断面を示す断面図であり、図４はヒータユニットの外観を示す斜視図であり、図５はヒータユニットのヒータ線を示す模式図であり、図６はクッション材の詳細な構成を示す模式図である。
【００１９】
本実施の形態における暖房マット１００は、内部にヒータユニットを備え、縦寸法が約２００ｃｍ、横寸法が約１００ｃｍの略長方形のマット状の本体２００と、コネクタ６３０を介して接続されたコントローラ６００を備え、ベッド１１０に載置して敷き寝具として使用する暖房器具である。
【００２０】
図１に示すように、略長方形の本体２００をベッド１１０のマット１１１上に載置し、本体２００の上面の短辺の近傍に設けたコネクタ受部６３２にコントローラ６００のコネクタプラグ６３１を接続して使用される。
【００２１】
以降の説明においては、ベッド１１０の頭側に配置される方を上方、脚側に配置される方を下方、上面から見て右側を右方、上面から見て左側を左方として配置を説明する。
【００２２】
図２および図３に示すように、本体２００は、ヒータユニット３００と、ヒータユニット３００の下方に配置されるベースクッション材４００と、ヒータユニット３００とベースクッション材４００の積層体の全体を収容するカバー５００を主な構成部材とする。
【００２３】
ヒータユニット３００は略長方形の２枚の毛布３１０の積層体の外周部と中央部の要所を縫製糸で縫製することにより、縫製しない部分に形成されたトンネル状の挿通経路にヒータ線３２０を挿入して配置することにより、毛布３１０の略全面に亘りヒータ線３２０を蛇行させて配設されたものである。
【００２４】
また、毛布３１０の四隅にはそれぞれ２本の結合紐３１１が設置されており、結合紐３１１をベースクッション材４００の四隅に設けられた結合孔４０１に挿通して結ぶことにより、ヒータユニット３００をベースクッション材４００の所定の位置に固定することができる。また、使用中にヒータユニット３００の位置がずれることを防止することができる。
【００２５】
図４に示すように、ヒータ線３２０は基本的には毛布３１０の上下方向に蛇行させて配設されている。ヒータ線３２０はヒータユニット３００の中央部の配設ピッチＰ１を小さく、両側部の配設ピッチＰ２を大きく配設されている。また、毛布３１０の上部は、両側部は毛布３１０の上端部の近傍までヒータ線３２０が配設されているのに対し、中央部は両側部より下方の範囲にのみヒータ線３２０が配設されている。
【００２６】
上記のようにヒータ線３２０を配設することにより、使用者が就寝時に主に横たわる中央部の発熱量を両側部より多くすることができ、使用者に効果的な暖房効果を提供することができるとともに、使用者の頭部が配置される上方中央部の加熱容量を低減することにより、頭寒足熱の快適な暖房効果を提供することができる。
【００２７】
図４に示すように、ヒータ線３２０の両端部は毛布３１０の短辺の近傍に設置されたコ
ネクタ受部６３２に接続されている。図１に示すように、コネクタ受部６３２はコントローラ６００の接続コード６２０の先端に接続されたコネクタプラグ６３１を短辺側から着脱自在に接続できる構成となっている。ヒータユニット３００に設置されたコネクタ受部６３２とコントローラ６００に設置されたコネクタプラグ６３１とでコネクタ６３０が構成されている。
【００２８】
図５に示すように、ヒータ線３２０は、中心のガラス繊維３２１の周囲に発熱線３２２を螺旋状に巻きつけ、その外周にナイロン樹脂で絶縁層３２３を形成し、絶縁層３２３の外周に温度を検知するニッケルを主成分とする温度検知線３２４を螺旋状に巻きつけ、その外周にＰＶＣの絶縁層３２５で外被が形成されている。
【００２９】
ヒータ線３２０は発熱線３２２の両端部より通電することにより発熱させることができるとともに、温度検知線３２４は両端部間の抵抗値の変化を検出することにより、ヒータ線３２０の温度変化を検出することができ、ヒータ線３２０は加熱機能と温度検知機能の２つの機能を備えている。
【００３０】
図６に示すように、ベースクッション材４００は、弾性を備えた熱可塑性樹脂であるポリエステル製の樹脂繊維４１０を３次元的にランダムに屈曲させて三次元の立体網状に形成し、樹脂繊維４１０の接触部を熱溶着により接合した三次元立体網状体である。三次元立体網状体は骨格となる樹脂繊維４１０相互の隙間には空洞部４２０が形成されている。空洞部４２０は特定の方向性に限定されず、三次元の全ての方向にランダムに連通するように形成されており、空気の流通する空洞部４２０は方向性が限定されない構成である。そのため、空洞部４２０の内部の空気は全ての方向に略均等な条件で流通可能な通気性の良い構成となっている。
【００３１】
上記のように、内部に空洞部４２０を多く備えた三次元の立体網状のベースクッション材４００は、基本的な性能として空気断熱による断熱効果を備えており、ベースクッション材４００の上方に設置されたヒータユニット３００の熱が下方のベッド１１０のマット１１１等に伝達されることを抑制し省エネルギー性を向上する機能を備えている。
【００３２】
また、ベースクッション材４００を構成する樹脂繊維４１０は弾性を備えた素材であり、ベースクッション材４００は適度なクッション性を備えており、本体２００上に使用者が横たわった場合には、直接身体が載置された部分は下方に僅かに凹陥する適度なクッション性を備え、ベースクッション材４００の空洞部４２０が完全に密閉されることはない。
【００３３】
ベースクッション材４００の外形寸法はベッド１１０のマット１１１の外形寸法に近似の縦２００ｃｍ、横１００ｃｍ、厚さ３ｃｍに形成され、ベースクッション材４００の全体としての密度は約５０ｋｇ／ｍ３である。
【００３４】
図３および図６に示すように、ベースクッション材４００の外周端部にはベースクッション材４００の上面から端面および下面に亘って略コの字型の樹脂シートで形成された閉塞部材４３０が全周に亘って接着固定されている。これによりベースクッション材４００の空洞部４２０の内部の空気が端面から流出しにくい構成となっている。
【００３５】
カバー５００の基本構成は、天然繊維または化学繊維を編織した略長方形の布を一方の側辺で折りたたみ、対応する他方の側辺と上辺および下辺の端部にファスナ５１０を取り付け、上面と下面を接合することにより、袋状に形成可能構成であり、ヒータユニット３００とベースクッション材４００とを内部に収容可能なものである。
【００３６】
図２に示すように、カバー５００の上面の上端近傍の側方部には略長方形のコネクタ孔５２０が設けられており、内部に収容したヒータユニット３００のコネクタ受部６３２を上方に突出させることにより、コネクタ受部６３２にコントローラ６００のコネクタプラグ６３１が接続可能な構成となっている。
【００３７】
また、コネクタ孔５２０の外周側の近傍には結束ベルト５２１が設置されており、コネクタ受部６３２に接続されたコントローラ６００の接続コード６２０をカバー５００に固定してコネクタプラグ６３１の不用意に脱落を防止する構成となっている。
【００３８】
結束ベルト５２１は帯状の布の裏面に面ファスナが設置されており、カバー５００の上面に設置された面ファスナと重ね合わせることにより着脱自在に固定される構成となっている。
【００３９】
コントローラ６００は、操作スイッチおよび制御機能を備えたコントローラ本体６１０と、コントローラ６００と本体２００を電気的に接続する接続コード６２０と、接続コード６２０の先端に設置されたコネクタプラグ６３１と、コントローラ本体６１０に電源を供給する電源コード６２１と、電源コード６２１の先端に設置された電源プラグ６２２で構成されている。コネクタプラグ６３１は本体２００のヒータユニット３００に設置されたコネクタ受部６３２とセットでコネクタ６３０を構成している。
【００４０】
コントローラ６００の操作機能としては、暖房マット１００の電源を「入」、「切」する電源スイッチと暖房マット１００の温度を使用者の好みに合わせて設定する温度設定ダイヤルとを一体に構成したロータリ式のダイヤル６４０がコントローラ本体６１０の上面に設置されている。ダイヤル６４０は透明な樹脂材料で形成されており、その内部には通電状態を表示する電源ランプが配置されている。
【００４１】
＜２＞暖房マットの動作および作用
図７は暖房マットをベッドに載置した使用状態の断面を示す模式図である。
【００４２】
暖房マットをベッド１１０に載置して使用する場合、図１に示すように、本体２００のコネクタ受部６３２がベッド１１０の頭側になるように載置し、コントローラ６００のコネクタプラグ６３１をコネクタ受部６３２に接続する。
【００４３】
コントローラ６００のダイヤル６４０を回転することにより電源スイッチが入り、電源ランプが点灯してヒータユニット３００に通電が開始される。ダイヤル６４０の回転角度を調節することにより温度を設定することができる。
【００４４】
ヒータ線３２０より発熱した熱の一部はヒータユニット３００上面側に伝達され、毛布３１０とカバー５００を介して使用者に伝達される、この間一部の熱は毛布３１０とカバー５００の内部で水平方向に伝導され、毛布３１０とカバー５００の広い範囲に拡散して昇温させる。
【００４５】
一方、一部の熱はヒータユニット３００下面側に伝達され、ベースクッション材４００を形成している樹脂繊維４１０と空洞部４２０に滞留する空気を加熱する。樹脂繊維４１０に伝達された熱は樹脂繊維４１０に沿って伝導して広い範囲に拡散して昇温させてクッション材の広い範囲を均熱化する作用が発揮される。また、加熱された空洞部４２０内の昇温された空気は図７の矢印で空洞部４２０に沿ってランダム方向に流動しベースクッション材４００の広い範囲に拡散して昇温させ、ベースクッション材４００の広い範囲を均熱化する作用が発揮される。ベースクッション材４００の均熱化された熱は主に上面側に伝達され、毛布３１０およびカバー５００を介して使用者に伝達される。
【００４６】
特に、使用者が横たわった場合および姿勢を変えた場合などにベースクッション材４００が大きく凹陥し、ベースクッション材４００の中央部の空洞部４２０内の一番暖かい空気が、外周部に向かって拡散するが、外周端部に設けられた閉塞部材４３０により拡散する空気は止められ、上面方向に拡散して使用者の周りを昇温し、使用者は広い範囲に亘り快適な暖房効果を得ることができる。
【００４７】
すなわち、ベースクッション材４００に伝達された熱は図７の矢印で示すように広い範囲に拡散して均熱化するとともに、均熱化された熱が暖房マット１００の上面に横たわる使用者に伝達され、使用者は広い範囲に亘り快適な暖房効果を得ることができる。
【００４８】
また、空洞部４２０に沿ってベースクッション材４００の外周端部に到達した昇温された空気は、外周端部に設けられた閉塞部材４３０によりベースクッション材４００の端面より外部に放出されることが抑制され、暖房マット１００の外部に無駄に放熱されることが抑制される。
【００４９】
上記のように、本実施の形態の暖房マット１００は、内部に空洞部４２０を多く備えた三次元の立体網状のベースクッション材４００を備えることにより、空気断熱による断熱効果を備えており、ベースクッション材４００の上方に設置されたヒータユニット３００の熱が下方に伝達されることを抑制し省エネルギー性を向上する機能を備えている。
【００５０】
また、ヒータユニット３００の下方にベースクッション材４００を設置したことにより、ヒータ線３２０で発熱した熱が、ベースクッション材４００の内部で広い範囲に拡散することにより、暖房マット１００の広い範囲の均熱化を図ることができ、快適性の高い暖房マットを提供することができる。
【００５１】
また、ベースクッション材４００が適度なクッション性を備えたことにより、使用者が横たわった場合および姿勢を変えた場合などに適度なクッション性を得ることができ、快適な寝心地を提供することができる。
【００５２】
また、ベースクッション材４００の外周端部に閉塞部材４３０を設けたことにより、暖房マット１００の外部に無駄に放熱されることを抑制することができ、暖房マット１００の熱効率と昇温速度の向上を図ることができ、省エネルギー性が高く使い勝手の良い暖房マット１００を提供することができる。
【００５３】
また、本体２００とコントローラ６００とを接続するコネクタ６３０のコネクタ受部６３２を本体２００上面の短辺近傍に設け、コントローラ６００を短辺側に設置できる構成としたことにより、暖房マット１００をベッド１１０に載置して使用する場合、コントローラ６００がベッド１１０への出入りを阻害することを抑制するとともに、コントローラ６００を操作しやすい位置に配置することができ、使い勝手の良い暖房マット１００を提供することができる。
【００５４】
また、コネクタ受部６３２の近傍にコントローラ６００の接続コード６２０固定する結束ベルト５２１を設置したことにより、コネクタプラグ６３１の不用意に脱落することを抑制することができ、暖房マット１００の使い勝手と信頼性を向上することができる。
【００５５】
なお、本実施の形態においては、略コの字型の閉塞部材４３０をベースクッション材４００の外周端部に接着固定する構成としたが、閉塞部材４３０の形状はこれに限るものではなく、例えは、ベースクッション材４００の端面のみを閉塞する帯状のもの、あるいは、ベースクッション材４００の端面と上面の一部を閉塞するＬ字型のものでも近似の効果
を得ることができる。
【００５６】
また、本実施の形態においては、閉塞部材４３０をベースクッション材４００の外周端部に接着固定する構成としたが、これに限るものではなく、例えば、ベースクッション材４００の外周端部に対向するカバー５００の内面に、樹脂シートによる閉塞部材を設置することにより、近似の効果を得ることができる。
【００５７】
また、本実施の形態においては、ヒータユニット３００は２枚の毛布３１０を使用して構成したが、布の材料は毛布に限るものではなく、天然繊維または化学繊維等を編織した布または不織布でもよい。
【００５８】
（実施の形態２）
図８は実施の形態２における暖房マットの構成を示す分解斜視図であり、図９は実施の形態２における暖房マットの構成を示す断面図であり、図９は実施の形態２における暖房マットの使用状態の作用を示す模式図である。
【００５９】
実施の形態２が実施の形態１と異なるのは主にクッション材の構成である。実施の形態１においては、ベースクッション材４００はヒータユニット３００の下側にのみ配置した構成であるが、本実施の形態においては、ヒータユニット３００の上側にサブクッション材８００を別途配置したものである。
【００６０】
なお、暖房マットの他の構成は実施の形態１と同様であり、同様な構成部材は同一の符号を付し、詳細な説明は省略する。
【００６１】
図８および図９に示すように、暖房マット１００の本体７００は、クッション材はベースクッション材４００とサブクッション材８００の２枚で構成され、サブクッション材８００はヒータユニット３００の上方に配置され、ベースクッション材４００はヒータユニット３００の下方に配置されている。また、実施の形態１と同様にサブクッション材８００とヒータユニット３００とベースクッション材４００の積層体の全体を収容するカバー５００を備えている。
【００６２】
サブクッション材８００は実施の形態１で説明したベースクッション材４００と略同様な基本構成を備えたものであり、ポリエステル製の樹脂繊維による三次元立体網状体である。サブクッション材８００の外形寸法は縦２００ｃｍ、横１００ｃｍ、厚さ１ｃｍに形成され、サブクッション材８００の全体としての密度は約３０ｋｇ／ｍ３である。
【００６３】
サブクッション材８００は、ベースクッション材４００と同様に弾性を備えたポリエステル製の樹脂繊維による三次元立体網状体であるが、その特性が異なるものである。
【００６４】
特に異なる点は、ベースクッション材４００の密度が約５０ｋｇ／ｍ３であるのに対し、サブクッション材８００の密度は約３０ｋｇ／ｍ３である。すなわち、サブクッション材８００はベースクッション材４００より樹脂繊維の割合を低く形成されており、圧縮率が大きく、柔らかい特性を備えたものである。また、厚さは約１ｃｍであり、ベースクッション材４００の３ｃｍに対し、約１／３となるように薄く形成されている。
【００６５】
また、サブクッション材８００の上端近傍の側方部には略長方形のコネクタ孔８１０が設けられており、内部に収容したヒータユニット３００のコネクタ受部６３２をサブクッション材８００のコネクタ孔８１０とカバー５００のコネクタ孔５２０を介して上方に突出させることにより、コネクタ受部６３２にコントローラ６００のコネクタプラグ６３１が接続可能な構成となっている。
【００６６】
本体７００上に使用者が横たわった状態では、ベースクッション材４００は、直接身体が載置された部分は下方に僅かに凹陥するのみであるが、サブクッション材８００は直接身体が載置された部分は下方に大きく凹陥し、上下方向にほとんど圧縮された状態となる。これにより、使用者が横たわった場合および姿勢を変えた場合などに柔らかいクッション性を得ることができ快適な寝心地を得ることができる。
【００６７】
図１０に示すように、ヒータ線３２０より発熱した熱の一部はヒータユニット３００上面側に伝達され、毛布３１０とサブクッション材８００とカバー５００を介して使用者に伝達される、この間一部の熱は毛布３１０とサブクッション材８００とカバー５００の内部で水平方向に伝導され、毛布３１０とサブクッション材８００とカバー５００の広い範囲に拡散して昇温させる。
【００６８】
特に、使用者が横たわった場合および姿勢を変えた場合などにサブクッション材８００が大きく凹陥し、サブクッション材８００の中央部の空洞部内の一番暖かい空気が、外周部に向かってランダム方向に拡散し、拡散した暖かい空気は上面方向に上昇し使用者の周りを昇温することにより、暖房マット１００全体が均熱化され、使用者は広い範囲に亘り快適な暖房効果を得ることができる。
【００６９】
一方、実施の形態１と同様に、一部の熱はヒータユニット３００下面側に伝達され、ベースクッション材４００を形成している樹脂繊維４１０と空洞部４２０に滞留する空気を加熱する。樹脂繊維に伝達された熱は樹脂繊維に沿って伝導して広い範囲に拡散して昇温させてサブクッション材８００の広い範囲を均熱化する作用が発揮される。また、加熱された空洞部４２０内の昇温された空気は空洞部４２０に沿ってランダム方向に流動しベースクッション材４００の広い範囲に拡散して昇温させ、ベースクッション材４００の広い範囲を均熱化する作用が発揮される。ベースクッション材４００の均熱化された熱は主に上面側に伝達され、毛布３１０とサブクッション材８００およびカバー５００を介して使用者に伝達され、使用者は広い範囲に亘り均熱化された快適な暖房効果を得ることができる。
【００７０】
実施の形態１と同様に、特に、使用者が横たわった場合および姿勢を変えた場合などにベースクッション材４００が大きく凹陥し、ベースクッション材４００の中央部の空洞部４２０内の一番暖かい空気が、外周部に向かって拡散するが、外周端部に設けられた閉塞部材４３０により拡散する空気は止められ、上面方向に拡散して使用者の周りを昇温し、使用者は広い範囲に亘り快適な暖房効果を得ることができる。
【００７１】
上記のように、本実施の形態における暖房マットは、内部に空洞部を多く備えた三次元の立体網状のベースクッション材４００を備えることにより、空気断熱による断熱効果を備えており、ベースクッション材４００の上方に設置されたヒータユニット３００の熱が下方に伝達されることを抑制し省エネルギー性を向上する機能を備えている。
【００７２】
また、内部に空洞部を多く備えた三次元の立体網状のベースクッション材４００とサブクッション材８００をヒータユニット３００の上方および下方に設置したことにより、ヒータ線３２０で発熱した熱が、ベースクッション材４００とサブクッション材８００の内部で広い範囲に拡散することにより、暖房マット１００の広い範囲の均熱化を図ることができ、快適性の高い暖房マット１００を提供することができる。
【００７３】
また、ヒータユニット３００の上方に配置したサブクッション材８００の厚さを、ヒータユニット３００の下方に配置したベースクッション材４００の厚さより、薄くしたことにより、ヒータユニットで発熱した熱は、下方には断熱され、上方に伝達されやすく、快
適な暖房効果と省エネルギー性を兼ね備えた暖房マットを提供することができる。
【００７４】
また、圧縮率が大きく、柔らかい感触のサブクッション材８００と、圧縮率が小さく、固い感触のベースクッション材４００の２枚を設置したことにより、広い範囲の衝撃を吸収することができ、快適なクッション性を得ることができる。
【００７５】
また、ヒータユニット３００の上方に圧縮率が大きく、柔らかい感触のサブクッション材８００を設置したことにより、サブクッション材８００が暖房マット上に横たわった使用者の体形に沿って変形することにより、柔らかいクッション性と感触を得ることができる。
【００７６】
また、ヒータユニット３００の上方に圧縮率が大きく、使用者の体形に沿って変形しやすいサブクッション材８００を設置したことにより、使用者の身体とヒータユニット３００を近づけることができるので、使用者は快適な暖房効果を得ることができる。
【００７７】
なお、本実施の形態においてはサブクッション材８００の外周端部に、閉塞部材４３０を設置しなかったが、この構成に限るものではなく、ベースクッション材４００と同様に、サブクッション材８００に閉塞部材を設置した場合、実施の形態１で説明したベースクッション材４００と同様の効果を得ることができる。
【産業上の利用可能性】
【００７８】
以上のように、本発明にかかる暖房マットは、クッション性と省エネルギー性と均熱性を向上することが可能となるので、他の採暖具等の用途にも適用できる。
【符号の説明】
【００７９】
１００  暖房マット
３００  ヒータユニット
３１０  毛布（布）
３２０  ヒータ線
４００  ベースクッション材
８００  サブクッション材
４１０  樹脂繊維
４２０  空洞部
４３０  閉塞部材
５００  カバー
【図１】
0006574978.tif 000002
【図２】
0006574978.tif 000003
【図３】
0006574978.tif 000004
【図４】
0006574978.tif 000005
【図５】
0006574978.tif 000006
【図６】
0006574978.tif 000007
【図７】
0006574978.tif 000008
【図８】
0006574978.tif 000009
【図９】
0006574978.tif 000010
【図１０】
0006574978.tif 000011
【図１１】
0006574978.tif 000012
【図１２】
0006574978.tif 000013